(57)【要約】【課題】  キャビネットの底部空間内に換気ファンを配置してキャビネット内を換気することにより、内部の清潔感を向上させる等して内部空間の有効活用を図り得るキャビネットを提供する。【解決手段】  上面開口部にシンクやボウルが配置され内部後方側にシンクやボウルの排水口等に接続された給排水管が配置されたキャビネットにおいて、キャビネットの底部空間に下部通気孔を設け該空間内に換気ファンを配置すると共に、該キャビネットの前面上部に上部通気孔を設け、換気ファンを作動させることによりキャビネット内を換気することを特徴とする。前記換気ファンは、キャビネットの底部空間を形成する台輪内に配置され、台輪の前板に下部通気孔が設けられたり、キャビネットの蹴込み板後方に形成される底部空間内に配置され、蹴込み板に下部通気孔が設けられる。【選択図】  図４
2006175152.tif 000002
【特許請求の範囲】
【請求項１】
上面開口部にシンクやボウルが配置され内部後方側に前記シンクやボウルの排水口等に接続された給排水管が配置されたキャビネットにおいて、
前記キャビネットの底部空間に下部通気孔を設け該空間内に換気ファンを配置すると共に、前記キャビネットの前面上部に上部通気孔を設け、前記換気ファンを作動させることによりキャビネット内を換気することを特徴とするキャビネット。
【請求項２】
前記換気ファンは、キャビネットの前記底部空間の前方側に配置されその前方に前記下部通気孔が設けられていることを特徴とする請求項１に記載のキャビネット。
【請求項３】
前記換気ファンは、キャビネットの底部空間を形成する台輪内に配置され、該台輪の前板に前記下部通気孔が設けられていることを特徴とする請求項１または２に記載のキャビネット。
【請求項４】
前記換気ファンは、キャビネットの蹴込み板後方に形成される底部空間内に配置され、蹴込み板に前記下部通気孔が設けられていることを特徴とする請求項１または２に記載のキャビネット。
【請求項５】
前記キャビネットは、換気ファンの後方側に整流板を備えることを特徴とする請求項１ないし４のいずれかに記載のキャビネット。
【請求項６】
前記換気ファンが配置された少なくとも一つのキャビネットと、前記換気ファンが配置されない少なくとも一つのキャビネットとが併設され、該換気ファンが配置されたキャビネットと換気ファンが配置されないキャビネットとが換気ダクトで連通されていることを特徴とする請求項１ないし５のいずれかに記載のキャビネット。
【発明の詳細な説明】
【技術分野】
【０００１】
本発明は、キッチンや洗面化粧台等において、上面開口部にシンクやボウル等が配置されるキャビネットに関する。
【背景技術】
【０００２】
従来、キッチンのシンクキャビネットや洗面化粧台は、その内部後方側に、シンク底面やボウル底面の排水口に接続された排水管や、シンク等の後方上面の水栓に接続された給水管がむき出し状態で配置され、このシンクキャビネット等の内部の底板上には、キッチンで使用される洗剤等が収納されて使用されているのが一般的である。なお、この種のキャビネットとしては、例えば特許文献１に開示されている。
【特許文献１】特開２００３−２９９５３１号公報
【発明の開示】
【発明が解決しようとする課題】
【０００３】
しかしながら、このようなキャビネットにおいては、その内部後方側に排水管や給水管等がむき出し状態で配置されているため、該キャビネット内の湿度が室内より高くなる場合があり、また給排水管が直接視認されて、キャビネット内があまり衛生的でないというイメージを受け易く、例えば鍋、ボール、ざる、フライパン、まな板等の調理器具や食品、キッチンタオル等の収納に抵抗感がある。その結果、比較的使い勝手が良く大きな収納空間が得られるにも係わらず、キャビネット内に洗剤類等を収納するに留まっているのが実情であり、キャビネットの内部空間を有効活用することが難しい。
【０００４】
本発明は、このような事情に鑑みてなされたもので、その目的は、キャビネットの底部空間内に換気ファンを配置してキャビネット内を換気することにより、内部の清潔感を向上させる等して内部空間の有効活用を図り得るキャビネットを提供することにある。
【課題を解決するための手段】
【０００５】
かかる目的を達成すべく、本発明のうち請求項１に記載の発明は、上面開口部にシンクやボウルが配置され内部後方側に前記シンクやボウルの排水口等に接続された給排水管が配置されたキャビネットにおいて、前記キャビネットの底部空間に下部通気孔を設け該空間内に換気ファンを配置すると共に、前記キャビネットの前面上部に上部通気孔を設け、前記換気ファンを作動させることによりキャビネット内を換気することを特徴とする。
【０００６】
そして、前記換気ファンは、請求項２に記載の発明のように、キャビネットの底部空間の前方側に配置されその前方に前記下部通気孔が設けられていることが好ましい。また、前記換気ファンは、請求項３に記載の発明のように、キャビネットの底部空間を形成する台輪内に配置され、該台輪の前板に前記下部通気孔が設けられていたり、あるいは請求項４に記載の発明のように、キャビネットの蹴込み板後方に形成される底部空間内に配置され、蹴込み板に前記下部通気孔が設けられていることが好ましい。
【０００７】
さらに、前記キャビネットは、請求項５に記載の発明のように、換気ファンの後方側に整流板を備えることが好ましく、また、請求項６に記載の発明のように、前記換気ファンが配置された少なくとも一つのキャビネットと、前記換気ファンが配置されない少なくとも一つのキャビネットとが併設され、該換気ファンが配置されたキャビネットと換気ファンが配置されないキャビネットとが換気ダクトで連通されていることが好ましい。
【発明の効果】
【０００８】
本発明の請求項１に記載の発明によれば、キャビネットの底部空間に下部通気孔を設け底部空間内に換気ファンが配置されると共に、このキャビネットの前面上部に上部通気孔が設けられるため、キャビネットの底部に形成されるデッドスペース（底部空間）を利用して換気ファンを配置できて、キャビネットの内部空間の容積を減少させることなく、換気ファンと上下の通気孔によりキャビネット内を換気してそのじめじめ感を解消でき、シンクやボウル等の下方の内部空間を洗剤類等に限らず調理器具や食品等の収納空間として有効活用することができる。
【０００９】
また、請求項２に記載の発明によれば、請求項１に記載の発明の効果に加え、換気ファンがキャビネットの底部空間の前方側に配置されその前方に下部通気孔が設けられているため、底部の前方側に設けた換気ファンの作動により、例えばキャビネットの下部前板に設けた下部通気孔からキャビネット外の空気を吸引して前面上部の上部通気孔からキャビネット外に排出できて、キャビネット内の換気を効率良く行うことができる。
【００１０】
また、請求項３に記載の発明によれば、請求項１または２に記載の発明の効果に加え、換気ファンがキャビネットの底部空間を形成する台輪内に配置され、この台輪の前板に下部通気孔が設けられているため、換気ファンを台輪内の底部空間内に簡単に配置できて、台輪の有効利用が図れると共に、台輪上に各種形態のキャビネットを載置できてその汎用性を向上させることができる。
【００１１】
また、請求項４に記載の発明によれば、請求項１または２に記載の発明の効果に加え、換気ファンがキャビネットの蹴込み板後方に形成される底部空間内に配置され、蹴込み板に下部通気孔が設けられているため、換気ファンを蹴込み板後方の底部空間内に簡単に配置できて、該空間の有効利用を図ることができる。
【００１２】
さらに、請求項５に記載の発明によれば、請求項１ないし４に記載の発明の効果に加え、キャビネットがその換気ファンの後方側に整流板を有するため、換気ファンから送られる空気をキャビネット内に良好に流通させることができて、キャビネット内の換気効率を一層向上させることができる。
【００１３】
また、請求項６に記載の発明によれば、請求項１ないし５に記載の発明の効果に加え、換気ファンが配置された少なくとも一つのキャビネットと、換気ファンが配置されない少なくとも一つのキャビネットとが併設され、換気ファンが配置されたキャビネットと換気ファンが配置されないキャビネットとが換気ダクトで連通されているため、複数台併設されたキャビネットのうち、例えば換気を最も必要とするキャビネットに換気ファンを配置することができて、所定のキャビネット内を換気できると共に、キャビネット全体としての換気ファンの消費電力を低減させて省エネ化に優れたキャビネットを得ることができる。
【発明を実施するための最良の形態】
【００１４】
以下、本発明の実施の形態を図面に基づいて詳細に説明する。
図１〜図６は、本発明に係わるキャビネットを使用したシステムキッチンの一実施形態を示し、図１がその正面図、図２が台輪の斜視図、図３が台輪の平面図、図４がシンクキャビネットの縦断面図、図５が調理台キャビネットの縦断面図、図６が上部通気孔の変形例を示す縦断面図である。
【００１５】
図１において、システムキッチン１は、上面にシンク８が配置され下部に引き出し５が配設されたシンクキャビネット２と、このシンクキャビネット２の左側に配置され上下の引き出し６ａ、６ｂが配設された調理台キャビネット３と、この調理台キャビネット３の左側に配置されコンロ９と引き出し７が配設されたコンロキャビネット４等を備えている。そして、幅方向に連設された各キャビネット２〜４の上面には、例えば１枚物で形成されたカウンター１０が配置されると共に、各キャビネット２〜４の底部は１台の台輪１１上に載置されている。
【００１６】
この台輪１１は、図２及び図３に示すように、連設された各キャビネット２〜４の底面形状と合致する平面視矩形状に形成された底板１１ａと、この底板１１ａの外周端部に立設された前板１１ｂ、後板１１ｃ及び左右の側板１１ｄとで、内部に上面が開口した底部空間１２を有する如く形成されている。また、この台輪１１の前板１１ｂは、例えばその全体（もしくは外周部を除く部分等の一部）がパンチング板で形成されて多数の下部通気孔１３が形成され、この前板１１ｂの直後方の前記底部空間１２内に換気ファン１４が配置されている。この換気ファン１４は、クロスフローファンの回転軸にファンモータ１４ａが連結されることにより形成されて、台輪１１の左右の側板１１ｄ間に取付板１５等を介して取り付けられている。
【００１７】
この時、換気ファン１４は、所定長さのクロスフローファン１４ａを軸方向に複数台（図では４台）連設することによって構成されるが、例えば長さの長い１台のクロスフローファンを使用することも勿論可能であるし、クロスフローファンを複数台連設する場合には、複数台連設されたクロスフローファンの回転軸の両側にファンモータ１４ａをそれぞれ連結することも可能である。また、換気ファン１４としては、クロスフローファンの他にシロッコファン等の他の適宜のファンを使用することができる。なお、換気ファン１４のファンモータ１４ａは、そのケーブルがシンクキャビネット２の前面上部の鏡板２ｃに取り付けられた操作盤１６（図１参照）に接続されており、この操作盤１６の換気スイッチがオン操作されることにより、予め設定された所定回転数で所定方向に回転するようになっている。
【００１８】
前記シンクキャビネット２は、図４に示すように、背面板２ａと、前面上部に配置された前板２ｂ及び鏡板２ｃと、その一部（図３の二点鎖線で示す部分）がパンチング板１７で形成された底板２ｄと、図示しない左右の側板等で構成され、このシンクキャビネット２の上面開口部には前記シンク８が配置され、前板２ｂ下方の開口部には前記引き出し５が引き出し可能に配設されている。また、シンクキャビネット２内の後部には、シンク８の底面８ａに設けられた排水口としての排水装置１８に接続された排水管、あるいはシンク８の後方上面の水栓１９（図１参照）に接続された図示しない給水管（以下、これらを給排水管２０という）が、例えば上下方向に指向して配置されている。
【００１９】
さらに、シンクキャビネット２内の後方側には、給排水管２０の前方に整流板２１が配置されており、この整流板２１により給排水管２０の略垂直部が隠蔽されるようになっている。なお、図４の二点鎖線で示すように、整流板２１の上端に連続する状態でシンク８の底面８ａ前部にかけて斜めの整流板２２を配置して、排水装置１８やシンク８の底面８ａを隠蔽する構成とすることもでき、このようにすれば、シンクキャビネット２内の後方側や上部側が整流板２１、２２で隠蔽されて該キャビネット２内の見栄えの向上が図れると共に、両整流板２１、２２の整流機能により後述する如く換気ファン１４からの空気の流通を促進できることになる。
【００２０】
また、シンクキャビネット２に引き出し可能に配設された前記引き出し５は、例えばそれぞれパンチング板で形成された底板、背板及び側板等で形成された収納部５ａと、この収納部５ａの前面側に固定され表面が鏡面仕上げされた把手を有する扉５ｂ等で形成され、その側板外面に設けたガイドを、シンクキャビネット２の側板内面に設けたガイドレール（いずれも図示せず）に係合させることにより、シンクキャビネット２内に出し入れ可能に配設されている。この引き出し５の構造は、前記他のキャビネット３、４の各引き出し６ａ、６ｂ、７についても同様である。なお、シンクキャビネット２の引き出し５内には、例えば金属棒を溶接すること等により格子の箱状に形成された網籠２３が必要に応じて出し入れ可能に配置されている。
【００２１】
そして、このシンクキャビネット２の鏡板２ｃの下部には、所定幅の長尺状のパンチング板２４が固定されており、このパンチング板２４には多数の上部通気孔２４ａ（図１参照）が形成されている。この上部通気孔２４ａから換気ファン１４の作動でシンクキャビネット２内の空気が外部（シンクキャビネット２外に）排出されるようになっている。なお、この上部通気孔２４ａを形成するパンチング板２４は、鏡板２ｃ下部への固定に限らず、引き出し５の扉５ｂ上端部に固定することも可能である。
【００２２】
また、前記調理台キャビネット３は、図５に示すように、背面板３ａと、その一部（図３の二点鎖線で示す部分）がパンチング板で形成された底板３ｂと、図示しない左右の側板等で構成され、この調理台キャビネット３の上面開口部には前記カウンター１０が配置されると共に、前面開口部には上下二段の引き出し６ａ、６ｂが引き出し可能に配設されている。また、この調理台キャビネット３の上部の引き出し６ａ下部もしくは下部の引き出し６ｂ上部には、シンクキャビネット２と同様に多数の上部通気孔２４ａを有するパンチング板２４が固定されると共に、調理台キャビネット３内の後部には、カウンター１０の裏面と底板３ｂの上面との間に緩やかな凹面を有する整流板２５が配置されている。
【００２３】
なお、この調理台キャビネット３の場合には、上部通気孔２４ａを形成するパンチング板２４を、図６に示すように、キャビネット３の前桁３ｃか上部の引き出し６ａの扉上端部に固定して、図１の二点鎖線で示すようにキャビネット３の最上部に上部通気孔２４ａを設ける構成としても良い。この図６に示す上部通気孔２４ａの構造は、他のキャビネット３、４についても適用することができる。
【００２４】
さらに、前記コンロキャビネット４も、調理台キャビネット３と略同様に、その一部（図３の二点鎖線で示す部分）がパンチング板で形成された底板等を有して形成されており、図１に示すように、その上部にコンロ９が配置されると共に、その下部に引き出し７が引き出し可能に配設されている。このコンロキャビネット４も、鏡板の下部もしくは引き出し７の上端部に上部通気孔２４ａを有するパンチング板２４が固定されている。
【００２５】
そして、各キャビネット２〜４に設けられるパンチング板２４は、図１に示すように、その幅寸法が同一に設定されると共に、各キャビネット２〜４に対する高さが同一位置に設定されている。これにより、各キャビネット２〜４が台輪１１上に載置された状態のシステムキッチン１を正面視した際に、台輪１１のパンチング板からなる前板１１ｂと各キャビネット２〜４の引き出し５、６ｂ、７上部のパンチング板２４とにより、横方向に上下２列のパンチング板が平行状態で位置することになる。
【００２６】
次に、このように構成されたシステムキッチン１の使用方法の一例について説明する。先ず、シンクキャビネット２の場合は、図４に示すように、引き出し５の収納部５ａ内にセットされている網籠２３の中に、例えば鍋、フライパン、ボール等の調理器具を収納し、この状態でシンクキャビネット２の前面上部の操作盤１６の換気スイッチをオンさせると、換気ファン１４のファンモータ１４ａが回転してクロスフローファンが矢印イ方向に回転する。このファンモータ１４ａの回転で、台輪１１の前板１１ｂの下部通気孔１３からシンクキャビネット２外の空気が該台輪１１の底部空間１２内に矢印ロの如く吸引される。
【００２７】
そして、この下部通気孔１３から底部空間１２内に吸引された空気は、矢印ハの如く後方側に流れると共にシンクキャビネット２の底板２ｄのパンチング板１７の通気孔から上方に流れる。この空気は、整流板２１の前面に沿って上方に流れると共にシンク８の底面８ａに沿って前方に流れて、矢印ニの如くシンクキャビネット２の鏡板２ｃ下部に設けたパンチング板２４の上部通気孔２４ａから前方であるシンクキャビネット２外に排出される。
【００２８】
これにより、下部通気孔１３から台輪１１内に吸引された空気がシンクキャビネット２内を流通して上部通気口２４ａから排出、つまりシンクキャビネット２内が換気されて、該キャビネット２内のじめじめ感等を解消できると共に、通気性を有する網籠２３内の調理器具に清潔感を維持できることになる。この換気時に、シンクキャビネット２の底板２ｄ、引き出し５の収納部５ａ、網籠２３等が通気性を有すると共に、シンクキャビネット２の後部に整流板２１が設けられていることから、換気ファン１４の回転により吸引された空気がシンクキャビネット２内を良好に流通することになる。
【００２９】
一方、調理台キャビネット３内の換気は、図５に示すように、換気ファン１４の矢印イ方向への回転により、前板１１ｂの下部通気孔１３から台輪１１内に矢印ロの如く吸引された空気が、調理台キャビネット３の底板３ｂのパンチング板１７の通気孔から矢印ハの如く上方に流れ、これが整流板２５に沿って上方に流れて、パンチング板２４の上部通気孔２４ａから矢印ニの如く外部に排出されることによって行われる。また、コンロキャビネット４の場合も、この調理台キャビネット３と略同様にして、キャビネット４内が換気されることになる。
【００３０】
そして、この例では、各キャビネット２〜４に対して１台の換気ファン１４が配置されていることから、操作盤１６の換気スイッチをオン操作することにより、全てのキャビネット２〜４内が換気されると共に、各キャビネット２〜４内の換気の停止は、操作盤１６の換気スイッチのオフ操作によりファンモータ１４ａが停止することによって行われる。この場合、換気ファン１４の停止は、換気スイッチのオフ操作に限らず、例えば操作盤１６に設けたタイマーにより自動的に行ったり、引き出し５の開放時にこれを検知して自動的に行う構成とすることも勿論可能である。
【００３１】
なお、以上の例において、図４の二点鎖線で示すように、台輪１１内に形成される底部空間１２の後方側に傾斜した整流板２６を配置して、換気ファン１４から送られる空気を上方であるシンクキャビネット２内に一層良好に流通させるように構成することもできる。また、換気ファン１４を各キャビネット２〜４毎に分割して設ける構成にすることもでき、この場合には、台輪１４の底部空間１２内に図３の二点鎖線で示すように、各キャビネット２〜４の側板に対応した位置に仕切板２７を設け、この仕切板２７間や仕切板２７と側板１１ｄとで形成される底部空間１２内に換気ファン１４をそれぞれ配置することにより、各キャビネット２〜４にそれぞれ対応した換気ファン１４で当該キャビネット２〜４内を換気したり、換気が必要となる例えばシンクキャビネット２に対応した台輪１２部分にのみ換気ファン１４を配置して、該シンクキャビネット２のみを換気する構成とすることもできる。
【００３２】
さらに、換気ファン１４を各キャビネット２〜４にそれぞれ対応して配置する場合は、各換気ファン１４の能力（回転数等）を、例えばシンクキャビネット２の換気能力を他のキャビネット３、４の換気能力より高く設定する等して、各キャビネット２〜４の使用目的に対応するように設定することもできるし、各換気ファン１４の作動を操作盤１６の操作により個別に制御したり、例えばシンクキャビネット２の換気ファン１４の作動時間を他の換気ファン１４より長く設定する等、各キャビネット２〜４に応じた制御とすることもできる。
【００３３】
このように、上記実施形態のシステムチッキン１にあっては、各キャビネット２〜４の下部通気孔１３を有する台輪１１の底部空間１２内に換気ファン１４が配置されると共に、各キャビネット２〜４の前面上部にパンチング板２４で形成された上部通気孔２４ａが設けられているため、換気ファン１４を作動させることにより、換気ファン１４と上下の通気孔１３、２４ａで各キャビネット２〜４内を換気してそのじめじめ感を解消でき、シンク８下方等の各キャビネット２〜４内の空間を、洗剤類等に限らず調理器具や食品等の収納空間として有効活用することができる。
【００３４】
特に、各キャビネット２〜４の上下に通気孔１３、２４ａがそれぞれ設けられていることから、床面上の湿度の低い室内空気を各キャビネット２〜４の下部通気孔１３から台輪１１内に吸引して上方に向けて流通させ、この空気を各キャビネット２〜４の上部通気孔２４ａから所定高さ位置に排出できて、各キャビネット２〜４内を良好に換気することができる。この時、シンクキャビネット２の場合は、整流板２１やシンク８の底面８ａ等により空気を良好に流通させることができ、また、調理台キャビネット３等のように整流板２５が配置された場合は、この整流板２５で空気を良好に流通させることができて、各キャビネット２〜４内の換気を効率的に行うことができる。
【００３５】
また、シンクキャビネット２内のシンク８の排水装置１８に接続された給排水管２０の前面側が整流板２１で覆われるため、引き出し５を引き出した際に、シンクキャビネット２内に給排水管２０等が露出して使用者に視認されることがなくなり、シンクキャビネット２内に清潔感のあるイメージを得ることができると共に、この清潔感と前述した湿気の解消により、従来じめじめ感がありその多くがデッドスペースとなっていたシンクキャビネット２内のシンク８下方の空間を、調理器具等の収納空間として一層有効活用することができる。
【００３６】
さらに、各キャビネット２〜４の底部を形成する台輪１１の従来デットスベースとなっていた底部空間１２内に、換気ファン１４が配置されて台輪１１の前板１１ｂに下部通気孔１３が設けられているため、各キャビネット２〜４の底部に形成される台輪１１内のデッドスペースを利用して、各キャビネット２〜４の内部空間の容積を減少させることなく、換気ファン１４を簡単に配置することができる。その結果、例えば既存の製品等に容易に対応することができると共に、台輪１１上に各種形態のキャビネット２〜４を載置できて、台輪１１を有する各種形態のキャビネット２〜４に容易に対応してその汎用性を向上させることができる。
【００３７】
またさらに、シンクキャビネット２の後方側に整流板２１（あるいは整流板２２）が配置されているため、整流機能を有する整流板２１等を給排水管２０の前方を覆うカバーとして機能させることができて、整流板２１等を有効利用することができる。また、各キャビネット２〜４の上下の通気孔１３、２４ａがパンチング板により形成されているため、通気孔１３、２４ａの形成を簡単に行うことができると共に、各キャビネット２〜４の上下のパンチング板が横方向に一直線上に配置されているため、これらのパンチング板に意匠的なアクセントが得られて、システムキッチン１のデザイン性を高めることもできる。
【００３８】
図７及び図８は、本発明に係わるキャビネットのそれぞれ他の実施形態を示している。以下、上記実施形態と同一部位には、同一符号を付して説明する。先ず、図７に示す実施形態のキャビネット３０の特徴は、その底部に前記台輪１１ではなく蹴込み板３１を設けた点にある。この蹴込み板３１は、例えば上下二段配設された引き出し３２ａ、３２ｂのうち、下部の引き出し３２ｂ下端にその扉３３より所定寸法奥側に位置してキャビネット３０の左右の側板に取り付けられている。そして、この蹴込み板３１自体の全部もしくは一部がパンチング板で形成されてキャビネット３０の下部に多数の前記下部通気孔１３が設けられると共に、蹴込み板３１の後方に形成される底部空間１２内で蹴込み板３１の直後方に前記換気ファン１４が配置されている。
【００３９】
これにより、換気ファン１４の作動で底部空間１２内にキッチン内の空気が吸引されると共に、この吸引された空気が矢印ハ、ニの如くキャビネット３０内を流れて、鏡板２ｃの下部に設けられたパンチング板２４の上部通気孔２４ａから排出され、キャビネット３０内が換気されるようになっている。この実施形態のキャビネット３０においても、キャビネット３０の蹴込み板３１後方で従来デッドスペースとなっていた底部空間１２内に換気ファン１４を配置できて、その有効利用が図れると共に、換気ファン１４によりキャビネット３０内を換気できて、上記実施形態と同様の作用効果を得ることができる。
【００４０】
また、図８に示す実施形態のキャビネットの特徴は、システムキッチン１の各キャビネット２〜４を例えば蹴込み板３１をそれぞれ有する形状とし、シンクキャビネット２の底部空間１２内に排気用の換気ファン１４を配置し、このシンクキャビネット２と上下に三段の引き出し６ａ〜６ｃを有する調理台キャビネット３の隣接する側壁下部、及び調理台キャビネット３とコンロキャビネット４の隣接する側壁下部を連結ダクト３５ａ、３５ｂで連通させた点にある。また、シンクキャビネット２の蹴込み板３１のみをパンチング板で形成し、シンクキャビネット２の引き出し５上端部にパンチング板２４を設けると共に、調理台キャビネット３の最上部の引き出し６ａ上端部と、コンロキャビネット４の引き出し７上端部に前記パンチング板２４を設ける。なお、この場合の換気ファン１４としては、例えば３６０度方向からの吸引が可能なターボファンが好適に使用されるが、シロッコファンやクロスフローファン等を所定方向に配置して使用することも勿論可能である。
【００４１】
そして、この構成の場合、換気ファン１４がシンクキャビネット２の蹴込み板３１の後方で排気方向に回転することにより、各キャビネット２〜４のパンチング板２４で形成された上部通気孔２４ａが吸引孔として作用し、キッチン内の空気が各キャビネット２〜３内に吸引され、この空気が各キャビネット２〜４内を流れて、排気孔として機能するシンクキャビネット２の蹴込み板３１の下部通気孔１３から排出されることになる。この時、シンクキャビネット２内に吸引された空気は、矢印ホの如くシンクキャビネット２の蹴込み板３１から直接排出され、調理台キャビネット３とコンロキャビネット４内に吸引された空気は、矢印ヘ、トの如く連結ダクト３５ａ、３５ｂを介して流れて、シンクキャビネット２の蹴込み板３１の下部通気孔１３から排出されることになる。
【００４２】
この実施形態においても、換気ファン１４の作動で各キャビネット２〜３内を換気できて、上記実施形態と同様の作用効果を得ることができる。また、この実施形態の場合には、換気を最も必要とするシンクキャビネット２に換気ファン１４を配置して該キャビネット２内の換気能力を十分に高め、換気がさほど必要でない他のキャビネット３、４内の換気能力を所定値に抑えることができ、各キャビネット２〜４の効率的な換気が可能となって省エネ化が図れると共に、所望のキャビネット２〜４に換気ファン１４を取り付けることができて、設置コストの低減化が図れる等の作用効果を奏することができる。
【００４３】
また、この実施形態の場合は、例えば連結ダクト２５ａ、２５ｂに開閉制御可能な図示しないダンパーを設け、必要とするキャビネット２〜４をより一層効率的に換気するようにしても良いし、蹴込み板３１を有するキャビネットに限らず、前述したように台輪１１を仕切板２７で仕切ったキャビネットの場合にも適用することができる。
【００４４】
なお、上記各実施形態においては、換気ファン１４をキャビネットの底部を形成する台輪１１の前板１１ｂや蹴込み板３１の直後方（すなわち底部空間１２の前方側）に配置したが、本発明はこれに限定されず、例えば前板１１ｂや蹴込み板３１から所定寸法後方側に配置する等、必要とする換気能力に応じて底部空間１２内の適宜位置に配置することができる。また、上記実施形態におけるシステムキッチン１の組み合わせ形態、各キャビネット自体の形状、引き出しの個数や形状、台輪１１の形状、各整流板の形状及び配置位置等も一例であって、本発明に係わる各発明の要旨を逸脱しない範囲において適宜の構成を採用することができる。
【産業上の利用可能性】
【００４５】
本発明は、システムキッチンの各種キャビネットに限らず、例えば単体の各種キャビネットにも適用できるし、あるいはボウルを有する洗面化粧台等の各種キャビネットにも適用できる。
【図面の簡単な説明】
【００４６】
【図１】本発明に係わるキャビネットを使用したシステムキッチンの一実施形態を示す正面図
【図２】同その台輪の斜視図
【図３】同台輪の平面図
【図４】同シンクキャビネットの縦断面図
【図５】同調理台キャビネットの縦断面図
【図６】同上部通気孔の変形例を示す縦断面図
【図７】本発明に係わるキャビネットの他の実施形態を示す図４と同様の縦断面図
【図８】本発明に係わるキャビネットのさらに他の実施形態を示す正面図
【符号の説明】
【００４７】
１・・・システムキッチン、２・・・シンクキャビネット、２ｄ・・・底板、３・・・調理台キャビネット、３ｂ・・・底板、４・・・コンロキャビネット、８・・・シンク、１０・・・カウンター、１１・・・台輪、１１ａ・・・底板、１１ｂ・・・前板、１１ｃ・・・後板、１１ｄ・・・側板、１３・・・下部通気孔、１４・・・換気ファン、１４ａ・・・ファンモータ、１７・・・パンチング板、２１、２２・・・整流板、２４・・・パンチング板、２４ａ・・・上部通気孔、２５、２６・・・整流板、２７・・・仕切板、３０・・・キャビネット、３０ａ・・・底板、３１・・・蹴込み板、３５ａ、３５ｂ・・・連結ダクト。
【図１】
2006175152.tif 000003
【図２】
2006175152.tif 000004
【図３】
2006175152.tif 000005
【図４】
2006175152.tif 000006
【図５】
2006175152.tif 000007
【図６】
2006175152.tif 000008
【図７】
2006175152.tif 000009
【図８】
2006175152.tif 000010